(57)【要約】【課題】高精細度の画像読取りではその画像容量の大きさで読取り処理時間が大きくなるため読取り処理時間を低減する課題があった。【解決手段】撮像光学系からの入射光の撮像素子への結像位置を、水平及び垂直方向に１画素以内から複数画素分まで変位させうる画素ずらし光学手段と、その画素ずらし光学手段の画素変位条件を制御する撮像部制御手段と、画素ずらし光学手段の画素変位条件を変化させて読み取った画像情報に基づいて画像の解像度を検出する解像度検出手段と、解像度が予め定められた値より高いと検出された画素情報及び、または解像度が予め定められた値より高いと検出された画素位置に対応する情報を記憶する記憶手段とを設けた。【選択図】　図１
2004023310.tif 000002
【特許請求の範囲】
【請求項１】
撮像光学系への入射光を二次元的に配置された複数の画素で構成された単板カラーの撮像素子に導き、前記撮像素子により光電変換して画像信号を生成する撮像装置を有する画像入力装置において、
前記撮像光学系からの入射光の前記撮像素子への結像位置を、水平及び垂直方向に１画素以内から複数画素分まで変位させうる画素ずらし光学手段と、
前記画素ずらし光学手段の画素変位条件を制御する撮像部制御手段と、
前記画素ずらし光学手段の画素変位条件を変化させて読み取った画像情報に基づいて画像の解像度を検出する解像度検出手段と、
前記解像度が予め定められた値より高いと検出された画素情報及び、または前記解像度が予め定められた値より高いと検出された画素位置に対応する情報を記憶する記憶手段とを有することを特徴とする画像入力装置。
【請求項２】
撮像光学系への入射光を二次元的に配置された複数の画素で構成された単板カラーの撮像素子に導き、上記撮像素子により光電変換して画像信号を生成する撮像装置を有する画像入力装置において、
前記撮像光学系からの入射光の前記撮像素子への結像位置を、水平及び垂直方向に１画素以内から複数画素分まで変位させうる画素ずらし光学系と、
前記画素ずらし光学手段の画素変位条件を制御する撮像部制御手段と、
前記画素ずらし光学手段の画素変位条件を変化させて読み取った画像情報に基づいて読取る画像の解像度を検出する解像度検出手段とを有し、
前記解像度検出手段で検出した解像度によって、前記撮像部制御手段の前記画素ずらし光学手段の画素変位条件を決定することを特徴とする画像入力装置。
【請求項３】
請求項２の画像入力装置おいて、
前記解像度検出手段で検出した解像度によって決定する前記撮像部制御手段の前記画素ずらし光学手段の画素変位条件は、読み取る画素変位量及びまたは、画素変位させて読み取る回数であることを特徴とする画像入力装置。
【請求項４】
請求項１から３の少なくとも１つの画像入力装置において、
前記解像度検出手段は、前記画素ずらし光学手段の画素変位条件と、前記画素変位条件に変化させる前に読み取った画像情報と、前記画素変位条件に変化させた後に読み取った画像情報とを使用することを特徴とする画像入力装置。
【請求項５】
請求項１から４の少なくとも１つの画像入力装置において、
前記画素ずらし光学手段の画素変位条件は、画素変位を大きく変位させた後に、小さく変位させることを特徴とする画像入力装置。
【請求項６】
請求項１の画像入力装置において、
前記解像度が予め定められた値より高いと検出された画素情報及び、または前記解像度が予め定められた値より高いと検出された画素位置に対応する情報を転送する転送手段を有することを特徴とする画像入力装置。
【請求項７】
請求項１の画像入力装置において、
前記解像度検出手段では、前記画素変位条件に変化させる前に読み取った画像情報と、前記画素変位条件に変化させた後に読み取った画像情報の差分情報が予め定められた値より大きい場合を解像度が高いと検出することを特徴とする画像入力装置。
【請求項８】
請求項７の画像入力装置において、
前記解像度検出手段では、前記画素変位条件に変化させる前に読み取った画像情報と、前記画素変位条件に変化させた後に読み取った画像情報のフレーム間の差分情報が予め定められた値より大きい場合を解像度が高いと検出することを特徴とする画像入力装置。
【請求項９】
請求項８の画像入力装置において、
前記解像度検出手段では、前記画素変位条件に変化させて読み取り、フレーム間の差分情報を求める際、前記画素変位量によって差分を求める画素位置を変えることを特徴とする画像入力装置。
【請求項１０】
請求項１の画像入力装置において、
前記撮像部制御手段は、前記解像度検出手段で検出した解像度によって、前記画素ずらし光学手段の画素変位条件を決定することを特徴とする画像入力装置。
【請求項１１】
撮像光学系への入射光を二次元的に配置された複数の画素で構成された単板カラーの撮像素子に導き、前記撮像素子により光電変換して画像信号を生成する撮像装置を有する画像入力装置において、
前記撮像光学系からの入射光の上記撮像素子への結像位置を、水平及び垂直方向に１画素以内から複数画素分まで変位させうる画素ずらし光学系と、
前記画素ずらし光学手段の画素変位条件を制御する撮像部制御手段と、
前記画素ずらし光学手段の画素変位条件を変化させて読み取った画像情報をある特定の大きさのブロックに区切り、画素変位条件に対応した間隔を空けて記憶する記憶制御手段と、
前記記憶制御手段により画像情報を記憶する第１の記憶手段と、
記憶した画像情報を転送する転送手段と、
転送される画像情報を記憶する第２の記憶手段と、
前記第２の記憶手段に記憶された画素情報を画素変位条件に基づいて画素の並べ替え及びまたは画素の補間処理を行う手段と
を有することを特徴とする画像入力装置。
【請求項１２】
請求項１１の画像入力装置において、
前記記憶制御手段は、前記ブロックに対して、前記解像度検出手段で検出した解像度が予め定められた値より高い解像度のブロックである場合のみ、画素変位条件に対応した間隔を空けて記憶することを特徴とする画像入力装置。
【請求項１３】
請求項１１の画像入力装置において、
前記記憶制御手段は、前記解像度検出手段で検出した解像度によって、前記撮像部制御手段の画素変位条件を決定し、前記画素ずらし光学手段の画素変位条件を変化させて読み取った画像情報をある特定の大きさのブロックに区切り、前記解像度検出手段で解像度が予め定められた値より高いと検出された画素情報を、画素変位条件に対応した間隔を空けて記憶することを特徴とする画像入力装置。
【請求項１４】
請求項１から請求項１３の少なくとも１つの画像入力装置において、
解像度を自動判定して最適な解像度で読取るモードのスイッチを有することを特徴とする画像入力装置。
【請求項１５】
請求項１４の画像入力装置において、
前記最適な解像度で読取るモードであるか否かの状態をユーザーに通知する手段を有することを特徴とする画像入力装置。
【発明の詳細な説明】
【０００１】
【発明の属する技術分野】
本発明は、入力された画像を画像処理可能な画像入力装置に関する。
【０００２】
【従来の技術】
近年、画像入力デバイスの高解像度化が進められており、取り扱う画像データサイズも大きくなってきている。画像入力デバイスのデジタルカメラやフラットベットスキャナから取り込んだ画像データは、ＰＣ等にＵＳＢやパラレルポートで接続して取り込み、加工して使用されているが、Ａ４サイズ，カラーで解像度２００ｄｐｉ　でも約１２Ｍバイトの画像データ量になる。この１２Ｍバイト分の画像データを転送する場合、バンド幅の低いＵＳＢ１．１やＢｌｕｅｔｏｏｔｈのインターフェースで転送すると数十秒と時間がかかってしまう。バンド幅の大きなインターフェースもあるが、高価であり、ノート型のＰＣ等に手軽に接続できないなどの問題点がある。また、高解像度化は進んでいるので、今後は読取り時間の高速化だけでなく画像の転送速度の高速化も重要な課題となることが予想される。
【０００３】
ここで、高解像度読取りの方式について簡単に触れておきたい。
【０００４】
１次元のラインセンサを移動させて読取る方式は、高解像度読取りを可能とするが、露光時間を保ち、２０００ライン（Ａ４，２００ｄｐｉ　）程度も光学系を高精度に移動させながら読取るので、高速化には限界がある。
【０００５】
一方、２次元のエリアセンサは、光学系の移動は必要ないが、解像度はＡ４，２００ｄｐｉ　まで到達しておらず、また、解像度の高いものは高価になる。
【０００６】
また、解像度の低い２次元のエリアセンサを複数個、用いて並列に読取り、それらを合成処理して解像度を上げる方法や、１つのエリアセンサでも読取り位置を数百画素以上も移動させながら複数回、読取りを行い合成する方法、パンチルトとズームを変更しながら複数回、読取りを行い合成する方法などあるが、いずれも読取り光学系がその分大きくなるという問題がある。
【０００７】
また、これらの方式より光学系が小さくできるものとして、「画素ずらし」として知られている特開２０００−２４４９３２のような撮像光学系からの入射光の撮像素子への結像位置を、水平及び垂直方向に１画素以内で変位できうる撮像カメラを用いて、１画素以内でずらしながら複数回、読取りを行い、その複数の画像データを合成して解像度の高い１枚の画像を得る方法がある。この方法はＣＣＤの画素数を増加させずに取得画像の高解像度化を図ることができる。
【０００８】
しかしながら、この撮像カメラは高解像度化を可能とするが、複数枚の画像の読取りを必要とするので、高速化について寄与することはできない。
【０００９】
ここで、読取る原稿に注目すると、原稿によっては高解像度が必要な場合と、低解像度でも問題ない場合がある。例えば、高解像度が必要な原稿かどうかを判定して高解像度が必要でなければ低解像度で読み取って送ることが考えられる。特開平９−９０４４号で提案の方式は、原稿をまず、高解像度でプリスキャンして、読取りに必要な解像度の判別し、高解像度が必要でない場合には低解像度で読取る方式であり、転送する画像データの転送量を削減できる。
【００１０】
【発明が解決しようとする課題】
しかしながら、特開平９−９０４４号に記載の方式は、読取る前に高解像度での読取りが必要で、画像の読取り時間は余計にかかるという問題点がある。また、１枚の原稿について一律の解像度での読取しか対応できないので、画像の中に少しでも解像度が高い部分があると高解像度で読む方が安全である。でないと、ユーザーに必要な情報がその高解像度の領域にある場合、再度読み直しになってしまう。このような場合、確率的に低解像度で送る原稿は少なくなり、効果が少なくなる問題が生じる。
【００１１】
本発明の目的は、低解像度の画像で解像度判定を行い、最適な解像度での読取りを可能とし、読取時間を短縮する画像入力装置を提供することである。
【００１２】
【課題を解決するための手段】
本発明は、撮像光学系への入射光を二次元的に配置された複数の画素で構成された単板カラーの撮像素子に導き、前記撮像素子により光電変換して画像信号を生成する撮像装置を有する画像入力装置において、撮像光学系からの入射光の前記撮像素子への結像位置を、水平及び垂直方向に１画素以内から複数画素分まで変位させうる画素ずらし光学手段と、その画素ずらし光学手段の画素変位条件を制御する撮像部制御手段と、画素ずらし光学手段の画素変位条件を変化させて読み取った画像情報に基づいて画像の解像度を検出する解像度検出手段と、解像度が予め定められた値より高いと検出された画素情報及び、または解像度が予め定められた値より高いと検出された画素位置に対応する情報を記憶する記憶手段とを有する構成とした。
【００１３】
また、解像度検出手段で検出した解像度によって、撮像部制御手段の画素ずらし光学手段の画素変位条件を決定する構成とした。
【００１４】
また、解像度が予め定められた値より高いと検出された画素情報及び、または解像度が予め定められた値より高いと検出された画素位置に対応する情報を転送する転送手段を有する構成とした。
【００１５】
また、記憶制御手段により画像情報を記憶する第１の記憶手段と、記憶した画像情報を転送する転送手段と、転送される画像情報を記憶する第２の記憶手段と、その第２の記憶手段に記憶された画素情報を画素変位条件に基づいて画素の並べ替え及びまたは画素の補間処理を行う手段とを有する構成とした。
【００１６】
【発明の実施の形態】
以下本発明の実施例について図１を用いて説明する。
【００１７】
図１は本発明の装置構成図である。本発明は、原稿台１３と、スタンド１２と、原稿台１３上の原稿１４を読取るカメラヘッド１１等からなるカメラ部１と、カメラ部１で読み取った画像について画像処理を行う画像処理部８からなる。
【００１８】
本実施例ではカメラヘッド１１は二次元撮像素子であって単板カラーの撮像素子であるＣＣＤエリアセンサが実装されており、かつ、撮像光学系からの入射光の撮像素子への結像位置を、水平及び垂直方向に１画素以内から複数画素分まで変位できうる画素ずらし光学部を備える撮像装置の撮像カメラである。この撮像装置は、撮像光学系への入射光を二次元的に配置された複数の画素で構成された単板カラーの撮像素子に導き、その撮像素子により光電変換して画像信号を生成する。
【００１９】
また原稿台１３の上部にスタンド１２で支えられたカメラヘッド１１から原稿台１３に置かれる１枚の画像について、１／３画素単位で、水平方向に０画素，１／３画素（１／３画素ずらし１回），２／３画素（１／３画素ずらし２回）ずらした結像位置での取得画像データ３枚を得ることができる。そして、それぞれに垂直方向にも同様に０画素，１／３画素，２／３画素ずらして読取りを行うことで計９枚の画像データを取得することが可能である。取得した画像データは画像処理部８へ送られる。
【００２０】
画像処理部８では、カメラ部１で読み取った画像情報から画像の解像度を判定する解像度判定部３と判定した解像度に基づいて画素ずらし光学部の画素変位条件である変位量（通常は１／３画素）、及び読取回数（通常９回読み）などを設定，制御する撮像制御部２，解像度判定部３で解像度が高いと判定された部分だけを選択して転送する選択転送部４で実現できる。転送された画像データはメモリ５に記憶され、この記憶された画像データを基に画像合成部６で１枚の高解像度の画像データに合成することで実現できる。
【００２１】
次に撮像制御部２、及び撮像カメラの制御の詳細については特開２０００−
２４４９３２を参照し、ここでの説明は省くことにする。また特開２０００−
２４４９３２では１／２画素で結像位置を変位せしめているが、１／３も同様と考えてよい。
【００２２】
次に画素ずらし光学部の画素変位条件を変化させて読み取った画像情報に基づいて読取る画像の解像度を判定する解像度判定部３について図２を用いて説明する。
【００２３】
カメラ部１で読み取った画像データは、そのまま画像データａとして選択転送部４に出力される経路と記憶手段３１に記憶される経路と前の画像との差分を求める減算器３２に入力する経路とに分かれる。本実施例では読み取った画像が１／３画素変位させた後の画像とすると、記憶手段３１に記憶されている画像は、１／３画素変位させる前の画像となる。
【００２４】
減算器３２で変位させる前の画像データと後の画像データの２枚の画像データについて画素毎に差分を求める。そして、比較器３３で差分の値とレジスタ３６に記憶されたある特定の値とで比較し、例えば、特定の値以上の場合に“１”、小さい場合は“０”の信号ｂとして選択転送部４に出力される。ここである特定の値とは、予め設定しておいても、随時外部から利用者が設定できるようにしても良い。
【００２５】
また、加算器３４では比較器３３の出力（差分が特定の値以上）の画素数を加算していき、比較器３５にて、その合計値がレジスタ３７に記憶されたある特定の値より低い場合、原稿全体の解像度が低いと考えて、解像度が低いものに対応した画素変位条件及びまたは、読取回数などを撮像制御部２に出力する。
【００２６】
尚、ここでは、合計値を比較器で比較しているが、予めテーブルに画素変位条件及びまたは、読取回数を格納しておき、合計値を基にテーブル変換で画素変位条件及びまたは、読取回数などを得ることも考えられる。
【００２７】
ここで、解像度の判定について図３を用いて説明する。
【００２８】
例えば、原稿１４のある一部分を拡大して見たものが、部分Ａのように細い縦線が並んでいるパターンとする。これを低解像度で読取ると、細い線は解像できず、部分Ｂのように黒い塊として読取られる。
【００２９】
次に画素をずらして読取ると、解像は部分Ｂ同様にできないが、明らかに部分Ｂとは異なる部分Ｃのような画像を得ることができる。そして部分Ｂと部分Ｃの差分は、画素ずらしの変位、例えば２／３画素ずらして読み取ったことにより発生している。１枚の低解像度の画像では部分Ａの細線のエッジは見えないが、差分画像を用いるとより多くのエッジを見ることができる。そして、部分Ａと部分Ｂでの差分が大きい部分が多いほど、その領域は解像度が高いと考えられる。つまり、画素ずらしで撮像素子への結像位置を変位させる前の画像データと、結像位置を変位させた後の画像データの２枚の画像データについて差分の大きい画素数を求めることで、解像度が高いか低いかを判定できると考える。ここでは、２枚の画像間で解像度が高いか低いかを判定しているが、変位量を変えて同様に判定処理を繰り返すことで最適な解像度を求めることも考えられる。最適な結像位置の変位量としては、差分の大きい画素数が多い結像位置の変位量で読取ることが考えられる。差分の大きい画素数がさほど変わらなければ、変位量は大きい方にすることも考えられる。変位量は刻み値のようなもので、この例では変位量のＭＡＸは１画素未満であり、変位量が大きければ、読取回数は少なくてすみ、変位量が小さい場合は読取回数は増える。
【００３０】
また、発生する差分値が大きい画素数も結像位置の変位量と原稿の解像度に関係している。判定処理を繰り返すことで最適な解像度を判定する際、図４のように結像位置の変位量を大きく動かして後に小さく動かすことが考えられる。例えば、図４に示すように初めに左上の結像位置を主走査（横）方向に２／３画素変位させて後に１／３変位させて、横（主走査）方向の最適な結像位置の変位量を求め、縦（副走査）方向も同様に最適な結像位置の変位量を求めることも考えられる。
【００３１】
また、逆に変位量を小さく動かして後に大きく動かすことも考えられる。
【００３２】
次に選択転送部４について図５を用いて説明する。解像度判定部３からの画像データａは差分信号ｂが“１”（差分値が大きい）の画素のみメモリ制御部４３から制御してメモリ４１に記憶される。また差分信号ｂもランレングス値としてＲＬ算出部４２を介してメモリ４１に記憶される。メモリ４１に記憶された画像データ及び差分信号のランレングス値は転送部４４から画像処理部８の外部へ転送される。
【００３３】
図１に戻り説明する。転送された画像データ及び差分値信号のランレングス値はメモリ５に格納される。画像合成部６では、メモリ５に記憶されている画像データを基に、高解像度画像を生成する。例えば、１／３の変位量として、縦方向（主走査方向）に３枚、それぞれ横方向（副走査方向）に３枚の９枚の画像を１枚に合成する場合、メモリ５内の画素の並びは図６のようになる。
【００３４】
図６（ａ）から図６（ｉ）は１枚目から９枚目の画像を読み取った後のメモリ内の画素並びを示している。横方向に１枚目の画素▲１▼の隣が２枚目の画素▲２▼となり、２枚目の画素▲２▼の隣が３枚目の画素▲３▼となる。縦方向には、１枚目の画素▲１▼の下が４枚目の画素▲４▼となり、その横は同様に５枚目の画素▲５▼，６枚目の画素▲６▼となる。４枚目の画素▲４▼の下は７枚目の画素▲７▼となり、その横も同様に８枚目の画素▲８▼，９枚目の画素▲９▼の並びになる。このように１枚目から９枚目の画像を画素毎に並べ変えていく。
【００３５】
本発明の提案方式では、一枚目の画像を展開して、２枚目以降は画像間の差分の大きい画素の画像データと、その画素位置に対応している差分値信号のランレングス値を使用して並べていく。
【００３６】
差分信号が“１”は差分が大きい画素であるので、“１”の数分の画像データは記憶されている。それを順に“１”の画素位置に当てはめて並べ替えていけばよい。転送された分の画像データの並べ替えが終了すると、残っているのは、差分の小さい画素位置の画像データつまり差分信号が“０”の画素位置である。そこには、例えば、１枚目の同画素位置の画像データを代用しても問題はないと考えられる。また、周りの画素を参照して平均値を用いてもよい。また、差分信号“０”の画素位置に置く画像データの生成は最後に行わなくても１枚目の画像を展開するときに行ってもよいし、１枚目以降の展開の途中に行ってもよい。
【００３７】
次に図７に示した解像度判定部３の他の実施例について説明する。
【００３８】
記憶手段３１には１枚目の画像データを記憶しておき、１枚目以降に入力された画像データは常に１枚目の画像データとの差分値を減算器３２で求める。比較器３３で減算器３２から得られた差分値とレジスタ３６に記憶されたある特定の値とで比較し、その結果を選択転送部４に出力する。メモリ制御部３８では比較する１枚目の画素位置を指定する。この時、撮像制御部２から、現在読み取った画像データが１枚目からどの程度結像位置を変位させているかに対応する信号を基にして、比較する１枚目の画素位置を指定することが考えられる。
【００３９】
例えば、図８のように１枚目の画像データをＦ１としてＮ画素目，Ｎ＋１画素目とし、次に画素ずらしで２／３画素分ずらして読み取った画像を２枚目Ｆ２のＮ画素目とする。この場合はＦ２のＮ画素目はＦ１のＮ画素目からは２／３画素分離れているが、Ｎ＋１画素目からは１／３画素分しか離れていない。そうするとＦ２のＮ画素目はＦ１のＮ＋１画素目により近い値であると考えられる。そのため差分を求める際、Ｆ２のＮ画素目はＮ＋１画素目との差分を求めるほうが、より差分が小さくなり、転送する差分の大きい画素数が少なくなる。
【００４０】
また、図９を用いて本発明の一実施例を説明する。
【００４１】
ここでは画像ずらしで読み取った９枚の画像を取得して１枚の高解像度の画像に合成するものとする。カメラ部１で読み取った画像は、まずラッチ８１でラッチして画像メモリ８４に格納していく。画像メモリ８４に読み取った９枚分の画像を格納した後、通信部を介してＰＣ等へ転送する。本実施例では通信部はＵＳＢ８３を用いているが、これに限らずＩＥＥＥ１３９４等を用いても良いし、無線で画像を送信しても良い。
【００４２】
転送された画像データはＰＣ側のメモリ５に格納して画像合成部６により合成される。画素ずらしでの読取りには、合成する際、フレームの画素毎に必ず並べ替えが必要になる。このときに補間処理も兼ねて行うとすると、例えば、補間画素を周囲の画素を参照して生成するとしたら、図１０のようにメモリ上の離れた個所を参照することになる。この場合は、１枚あたり１３６０×１０３０バイトの領域を必要とするので、１３６０×１０３０バイト分ずつ離れた９個のメモリアドレスの画像データを参照する。そのため、ＣＰＵのキャッシュのミスヒットが多くなり処理時間がかかる恐れがある。
【００４３】
画像処理部８のＣＰＵが高速で、バススループットが高ければ画像メモリ８４に格納する際、読取データのタイミングに間に合うように１画素（１バイト）毎に書き込めれば問題はない。書き込みの際に、横縦方向に並べることを考慮して１画素毎に書き込むフレーム数分の間隔を空けて書き込み、次のフレームで空いているところに同様に間隔を空けて書き込んでいくことで、９枚分の読取りを終了した時点で、画素の並べ替えも終えていることになる。
【００４４】
しかしながら、高速なＣＰＵ、またはバススループットが高いものは、高価になってしまう。そのため、図１１に示すような安価なＣＰＵで簡単な並べ替えを行うことでＰＣ側のＣＰＵのキャッシュミスヒットを軽減できる方式を考えることができる。
【００４５】
ここでは１６画素をブロックにして並べていく、そのため、書き込みも１６画素毎に書き込み処理を行えばよく、１画素毎書き込みを行うより、１６画素毎に１６画素連続したデータを書き込む方が時間はかからずにすむ。ＰＣ側に転送されたｍ１を拡大して見たものがｍ１１である。補間する際、周辺９画素を参照する場合、４８画素×３ラインの範囲を見ればよい。そのためＣＰＵのキャッシュミスヒットを軽減できる。補間処理のシミュレーションで、ＰＣ側でメモリを参照するアドレスを図１０の場合と図１１とで比較した結果、図１０での方式に比べ図１１は１／３の処理時間になった。また、同様に補間処理のシミュレーションで１画素毎に並べ替えをしたものと、１６画素毎に並べ替えをした図１１とを比較すると、処理時間は同程度となった。
【００４６】
また、本発明の他の実施例を示す図１２のように解像度判定及び選択転送とこの簡易の並べ替えを組み合わせてもよい。
【００４７】
解像度判定部３は画素毎に行っているが、ブロックに分けて行うことも考えられる。
【００４８】
例えば、分けたブロックのサイズで簡易並べ替えを行うことが考えられる。このとき、画像メモリ８４には、そのブロックの画素領域が解像度か高い領域かどうかをブロック内の画素について前の画像との差分値を求め、差分の大きい画素がある場合、または多い場合はそのブロックは解像度が高いと考えて、画像メモリ８４に記憶する。記憶されるのは、１枚目の画像データと、１枚目以降の差分の大きい（解像度が高い）ブロック内の画像データと、そのブロックの位置情報を記憶する。差分の小さい画素のブロックの画像情報は記憶しない。また、書き込む場合、差分の小さい画素のブロックの画像情報は記憶しないので詰めて書き込むが、その際、簡略並べ替えを行うので、１ブロックを書き込んだ後、読取るフレーム数分のブロック分間隔を空けて書き込む。
【００４９】
また、解像度判定しての読取りを止めたい場合、図１３に示すように、解像度を自動判定して最適な解像度で読取るモードスイッチ９を設けることが考えられる。例えば、モードスイッチ９が“１”になると解像度判定部３での差分値を比較するレジスタを“０”に設定すれば、大きい信号は入らないので、全て高解像度の部分となり、画素変位条件及び、読取回数、及びまたは転送も高解像度の対応となる。
【００５０】
また、このとき最適な解像度で読取るモードであるか否かの状態をユーザーに通知するようにしても良い。例えばモードスイッチ９にＬＥＤを設けてそのモードの状態を光で知らせたり、ディスプレイ，モニタ等の表示部を設けて、それにモードの状態を表示させてユーザーへ知らせても良い。
【００５１】
【発明の効果】
本発明によれば、低解像度の画像で解像度判定を行うことができ、最適な解像度での読取りが可能で、読取時間を短縮できる。
【図面の簡単な説明】
【図１】本発明に係る画像入力装置の一実施例を示す図である。
【図２】本発明に係る画像入力装置の解像度判定部の一実施例を示す図である。
【図３】本発明に係る画像入力装置の解像度判定を説明する図である。
【図４】本発明に係る画像入力装置の解像度判定に用いる撮像制御の一実施例を示す図である。
【図５】本発明に係る画像入力装置の選択転送部の一実施例を示す図である。
【図６】本発明に係る画像入力装置の画素の並べ替えを説明する図である。
【図７】本発明に係る画像入力装置の解像度判定部の他の実施例を示す図である。
【図８】本発明に係る画像入力装置の解像度判定を説明する図である。
【図９】本発明に係る画像入力装置の他の実施例を示す図である。
【図１０】本発明に係る画像入力装置の補間処理の参照画素のメモリマップを示す図である。
【図１１】本発明に係る画像入力装置の補間処理の参照画素のメモリマップを示す図である。
【図１２】本発明に係る画像入力装置の他の実施例を示す図である。
【図１３】
本発明に係る画像入力装置の他の実施例を示す図である。
【符号の説明】１…カメラ部、２…撮像制御部、３…解像度判定部、４…選択転送部、５…メモリ、６…画像合成部、８…画像処理部、９…モードスイッチ、１１…カメラヘッド、１２…スタンド、１３…原稿台、１４…原稿、３１…記憶手段、３２…減算器、３３，３５…比較器、３４…加算器、３６，３７…レジスタ。
【図１】
2004023310.tif 000003
【図２】
2004023310.tif 000004
【図３】
2004023310.tif 000005
【図４】
2004023310.tif 000006
【図５】
2004023310.tif 000007
【図６】
2004023310.tif 000008
【図７】
2004023310.tif 000009
【図８】
2004023310.tif 000010
【図９】
2004023310.tif 000011
【図１０】
2004023310.tif 000012
【図１１】
2004023310.tif 000013
【図１２】
2004023310.tif 000014
【図１３】
2004023310.tif 000015